(57)【要約】      （修正有）【課題】給排湯時の作業性が良く、収納スペースも少なくてすむ湯たんぽを提供する。【解決手段】扁平状中空本体１の上面部２を湾曲面若しくは凹凸面とし、前記扁平状中空本体１の前記上面部２にして前記扁平状中空本体１の一端部４側所定部位に前記湯注ぎ口部３を設ける。また、前記一端部４の端面部８を底部として前記上面部２が側面となるように前記扁平状中空本体１を縦置き状態で支承し得る本体支承部６を設け、前記扁平状中空本体１の前記上面部２が上面となるように前記扁平状中空本体１を平置き状態とした際、この上面部２が前記一端部４側から他端部５側にかけて下り傾斜状態となり、この上面部２の一端部４側に設けた前記湯注ぎ口部３が前記上面部２の傾斜上方部位に位置する状態で、前記扁平状中空本体１を支承し得る傾斜支承接地部１０を前記本体支承部６に設ける。【選択図】図２
0003147043.tif 000002
【実用新案登録請求の範囲】
【請求項１】
扁平状中空本体の湾曲面若しくは凹凸面とした上面部に湯注ぎ口部を有する湯たんぽであって、前記扁平状中空本体の前記上面部にして前記扁平状中空本体の一端部側所定部位に前記湯注ぎ口部を設けるとともに、前記扁平状中空本体の前記一端部に、この一端部の端面部を底部として前記上面部が側面となるように前記扁平状中空本体を縦置き状態で支承し得る本体支承部を設け、前記扁平状中空本体の前記上面部が上面となるように前記扁平状中空本体を平置き状態とした際、この上面部が前記一端部側から他端部側にかけて下り傾斜状態となり、この上面部の一端部側に設けた前記湯注ぎ口部が前記上面部の傾斜上方部位に位置する状態で、前記扁平状中空本体を支承し得る傾斜支承接地部を前記本体支承部に設けたことを特徴とする湯たんぽ。
【請求項２】
前記扁平状中空本体の下面部を凹凸面として、前記一端部を末端凸部とし、この末端凸部を他の凸部より長く設けて前記本体支承部としたことを特徴とする請求項１記載の湯たんぽ。
【請求項３】
前記扁平状中空本体を合成樹脂素材で成形し、前記本体支承部を前記扁平状中空本体に一体成形したことを特徴とする請求項１，２のいずれか１項に記載の湯たんぽ。
【請求項４】
前記扁平状中空本体の前記他端部に取手部を設けたことを特徴とする請求項１〜３のいずれか１項に記載の湯たんぽ。
【考案の詳細な説明】
【技術分野】
【０００１】
本考案は、湯たんぽに関するものである。
【背景技術】
【０００２】
湯たんぽは古くから使用されてきた暖房器具の一種である。近年、地球温暖化が騒がれ、また、急激な燃料費の高騰の煽も受け、省エネルギー器具に脚光が集まる中、扁平状中空本体中に湯を注ぐだけで一晩中の寝具の中を温めることができるこの湯たんぽも、省エネルギー暖房器具として再認され始め、需要が急速に伸びている。
【０００３】
しかしながら、従来から提案されている湯たんぽは、扁平状中空本体１の形状を有しており、収納時に場所を取るという問題があった。また、湯を捨てる際に、湯たんぽを持ったまま湯を排出しなければならず煩わしい上、持ったまま湯を捨てるとシンクで湯が跳ねる事もあり、使用勝手があまり良くなかった。
【０００４】
そこで、下記特許文献１に示すように、扁平な本体の扁平な面と略直交する面に接して本体（扁平状中空本体）を縦置きするための底部を設け、該縦置き状態で上位となる本体の一部に提げ手を設け、同じく下位になる底部近くの本体にキャップで閉じられる注湯口（湯注ぎ口部）を形成した合成樹脂製の湯たんぽであって、縦置きすることができ、不使用時（収納時）にも場所を取らず、また、キャップを外した状態で立てて置くだけで排湯することができる湯たんぽが提案されている。
【０００５】
しかしながら、特許文献１に示す従来例は、扁平状中空本体を立てた状態で下位になる底部の近くの本体に湯注ぎ口部を設ける構成（扁平状中空本体の一端部側に湯注ぎ口部を設ける構成）である為、下記の問題が生じる。
【０００６】
即ち、一般に、湯たんぽを構成する扁平状中空本体の上面部は、例えば強度を上げたり、広い表面積を確保するなどの理由から単なる平坦面ではなく、中央部に向けて上り傾斜を有した湾曲面に形成され且つ補強リブ（蛇腹状の凹凸面）が設けられた構成であるが、前述した従来例のように、扁平状中空本体の一端部に湯注ぎ口部を設けると、扁平状中空本体の上面部が上面となる平置き状態とした際、湯注ぎ口部が扁平状中空本体の中央部位よりも低い位置となり、このことから、この湯注ぎ口部から湯を注いだ時に、注いだ勢いにより湯が揺動しながらその水位は上昇し、波立つ湯の水位が湯注ぎ口部に達する高さになると、波立つ湯が上面部の湾曲部（膨らみ）内や補強リブの作る空間に残った空気と混ざり合いながら湯注ぎ口部へ向い、湯注ぎ口部から湯に混ざった空気が大気中へ放出される際に熱い湯が飛び散ることとなり、湯たんぽの周辺に湯が飛び散り湯たんぽを置いている作業台を濡らしたり、湯を注いでいる手などにかかったりするという問題が生じる。
【０００７】
また、従来例は、縦置きする際に底部となる扁平状中空本体の一端部における載置面積が狭く載置安定性も十分ではないと思われる。
【０００８】
【特許文献１】実公平０４−２０４２０号公報
【考案の開示】
【考案が解決しようとする課題】
【０００９】
本考案は、上記の問題点に鑑み、湯を注ぐ際には湯が飛び散って作業台を濡らしたり湯が掛かったりすることがなく、湯を捨てる際には、湯注ぎ口部を開放して縦置きにすることにより自動に湯を排出することができ、しかも、安定して縦置き状態を保つことができ、収納時においても場所を取らずに収納できる、極めて使用勝手の良い実用的な湯たんぽを提供することを目的とする。
【課題を解決するための手段】
【００１０】
添付図面を参照して本考案の要旨を説明する。
【００１１】
扁平状中空本体１の湾曲面若しくは凹凸面とした上面部２に湯注ぎ口部３を有する湯たんぽであって、前記扁平状中空本体１の前記上面部２にして前記扁平状中空本体１の一端部４側所定部位に前記湯注ぎ口部３を設けるとともに、前記扁平状中空本体１の前記一端部４に、この一端部４の端面部８を底部として前記上面部２が側面となるように前記扁平状中空本体１を縦置き状態で支承し得る本体支承部６を設け、前記扁平状中空本体１の前記上面部２が上面となるように前記扁平状中空本体１を平置き状態とした際、この上面部２が前記一端部４側から他端部５側にかけて下り傾斜状態となり、この上面部２の一端部４側に設けた前記湯注ぎ口部３が前記上面部２の傾斜上方部位に位置する状態で、前記扁平状中空本体１を支承し得る傾斜支承接地部10を前記本体支承部６に設けたことを特徴とする湯たんぽに係るものである。
【００１２】
また、前記扁平状中空本体１の下面部11を凹凸面として、前記一端部４を末端凸部６とし、この末端凸部６を他の凸部９より長く設けて前記本体支承部６としたことを特徴とする請求項１記載の湯たんぽに係るものである。
【００１３】
また、前記扁平状中空本体１を合成樹脂素材で成形し、前記本体支承部６を前記扁平状中空本体１に一体成形したことを特徴とする請求項１，２のいずれか１項に記載の湯たんぽに係るものである。
【００１４】
また、前記扁平状中空本体１の前記他端部５に取手部７を設けたことを特徴とする請求項１〜３のいずれか１項に記載の湯たんぽに係るものである。
【考案の効果】
【００１５】
本考案は上述のように構成したから、前述した従来例と異なり、湯を注ぐ際には湯が飛び散って作業台を濡らしたり湯が掛かったりすることがなく、湯を捨てる際には、湯注ぎ口部を開放して縦置きにすることにより自動に湯を排出することができ、しかも、安定して縦置き状態を保つことができ、収納時においても場所を取らずに収納できる、極めて使用勝手の良い実用的な湯たんぽとなる。
【００１６】
また、請求項２記載の考案においては、極めて簡単な構成により、請求項１の作用・効果を実現できると共に、より扁平状中空本体１が変形しづらく劣化しづらい強度性に秀れた湯たんぽとなる。
【００１７】
また、請求項３記載の考案においては、加工しやすくコスト安な材料を用い、簡易な方法で安価に製造できることとなる。
【００１８】
また、請求項４記載の考案においては、湯たんぽを持ち運ぶ際に、湯の温度が手に伝わることなく湯たんぽを運ぶことが出来き、一層使い易い湯たんぽとなる。
【考案を実施するための最良の形態】
【００１９】
好適と考える本考案の実施形態（考案をどのように実施するか）を、図面に基づいて本考案の作用を示して簡単に説明する。
【００２０】
扁平状中空本体１の一端部４の端面部８を底部として上面部２が側面となるように扁平状中空本体１を本体支承部６で支承した縦置き状態とすると、扁平状中空本体１の一端部４側所定位置に設けた湯注ぎ口部３は扁平状中空本体１の下方に位置することとなる。この状態で湯注ぎ口部３から扁平状中空本体１内部の湯は自重により自然に排出される。また、扁平状中空本体１は本体支承部６により安定的な縦置き状態が得られ、しかも、縦置きし得ることで場所を取らない良好な収納状態が得られる。
【００２１】
また、扁平状中空本体１の前記上面部２が上面となるように扁平状中空本体１を本体支承部６に設けた傾斜支承接地部10で支承した平置き状態とすると、この上面部２は前記一端部４側から他端部５にかけて下り傾斜状態となり、この上面部２の一端部４側に設けた前記湯注ぎ口部３は、前記上面部２の傾斜上方部位に位置する状態となる。この状態で湯注ぎ口部３から湯を注ぐと、湯は下方から溜まり、同時に扁平状中空本体１内の空気は上方へ移動することとなり、更に湯を湯注ぎ口部３に達するまで注ぐと、扁平状中空本体１の内部の空気は自然に略全てが湯と置換されることとなる。
【００２２】
即ち、前述したように扁平状中空本体１の上面部２が例えば強度を上げたり広い表面積を確保すべく単なる平坦面でない湾曲若しくは凹凸面であっても、扁平状中空本体１の縦置きを達成すべく本体支承部６に設けた傾斜支承接地部10により、この上面部２（内面部）が一端部４側から他端部５にかけて下り傾斜状態となるから、湯を湯注ぎ口部３近くまで注ぐ時には、扁平状中空本体１の内部の空気を例えば上面部２の内面部を伝わせて良好に湯注ぎ口部３まで誘導させて略全て排出でき、しかも、注いだ湯が揺動できる空間を残さないので、湯を湯注ぎ口部３に達するまで注いでも、湯と混ざり合った空気が放出される際に湯が湯注ぎ口部３から外へ飛び散るということがなく、湯たんぽの回りを濡らしたり、湯が手にかかったりしないこととなる。
【実施例】
【００２３】
本考案の具体的な一実施例について図面に基づいて説明する。
【００２４】
本実施例は、扁平状中空本体１の上面部２に湯注ぎ口部３を有する湯たんぽである。
【００２５】
この扁平状中空本体１は、合成樹脂製の部材で一体成形したものであり、図１，２に図示したように上面部２を中央部に向けて登り傾斜状（膨出状）となる凸湾曲面として構成すると共に、この上面部２及び下面部11に凹凸面を設けている。
【００２６】
尚、湾曲面若しくは凹凸面のどちらか一方の構成としても良い。
【００２７】
具体的には、この凹凸面は、外側に凸設される凸条と内側に凹設される凹条とを順に平行に並設することで構成され、凹凸の高さ差（凸部の長さ）は約１ｃｍとする。
【００２８】
この凹凸面を設けることにより、扁平状中空本体１の内部で圧力が変化しても、圧力をより広い面積に分散でき、扁平状中空本体１に部分的に加わる力が弱まることとなり、また、上下方向だけでなく凹凸面の左右方向にも広がる構造とすることにより、扁平状中空本体１の全体視が変化しづらい強度性に秀れた構成となる。また、サイズを変えずに表面積を広くできるので、効率良く放熱する温かい湯たんぽとなる。
【００２９】
また、上面部２は、前述したように凹凸面を有する構成に加え、全体として中央部に向かい上方向（外方向）になだらかな登り傾斜となる凸湾曲面とすることで（図３、４参照）、より変形しづらい強度性に秀れた構成となる。
【００３０】
湯注ぎ口部３は、前記扁平状中空本体１の前記上面部２にして前記扁平状中空本体１の一端部４側略中央部位に設けている。
【００３１】
この湯注ぎ口部３には、水漏れ防止機能を有したキャップが設けられている。
【００３２】
また、扁平状中空本体１の一端部４に、この一端部４の端面部８を底部として前記上面部２が側面（立直面）となるように前記扁平状中空本体１を縦置き状態で支承し得る本体支承部６を設ける。
【００３３】
具体的には、この本体支承部６は、扁平状中空本体１の下面部11に設けた凹凸面を構成する凸部にして扁平状中空本体１の一端部４に設けられる凸部を末端凸部６として、この末端凸部６を他の凸部９より長く成形して構成されている。
【００３４】
より具体的には、扁平状中空本体１の前記本体支承部６を設ける一端部４を、一端部から他端部と垂直となる方向（以下、左右方向と呼ぶ）に一定長さを有し、前記本体支承部６をこの左右方向長さと同じ長さを有する一連の凸部とし、この本体支承部６の側面を含む一端部４の端面部８を底部とする。具体的には、本実施例では平坦面とする。
【００３５】
尚、本体支承部６としての末端凸部６は、一連の筒部とせず、例えば左右２箇所に設けるなど複数設ける構成として良い。
【００３６】
この本体支承部部６の構成により、前述した従来例に比し底部の面積を広くでき、より安定した縦置き状態が得られることとなる。
【００３７】
また、扁平状中空本体１の他端部５に取手部７を設けている。
【００３８】
従って、扁平状中空本体１の上面部２が上面となる平置き状態でこの湯注ぎ口部３を開放し、取手部７を持ち、一端部４の端面部８を底部として前記上面部２が側面となるように前記扁平状中空本体１を縦置とすることにより、扁平状中空本体１内の湯は自重によって湯注ぎ口部３から自動で排出されることとなり、極めて使用勝手の良い実用性の高い湯たんぽとなる。
【００３９】
また、本体支承部６を設けたので、前述した従来例に比し前記一端部４の端面部８である底部の面積が広がり、載置時の安定性が高くなる。従って、湯排出時に湯たんぽを手で持つ必要が無いだけでなく、湯が排出される振動で湯たんぽが揺れている間も手を添えていなくても縦置き状態を安定して保つことができる。
【００４０】
尚、前記本体支承部６を含む扁平状中空本体１の一端部側の側面である底部は、底部となる全ての面が載置台に接する必要はなく、滑り止め加工されていてもよく、一端部４に本体支承部６を複数設けた構成としても良い。
【００４１】
また、本体支承部６には、扁平状中空本体１の前記上面部２が上面となるように前記扁平状中空本体１を平置き状態とした際、この上面部２が一端部４側から他端部５側にかけて下り傾斜状態となり、この上面部２の前記一端部４側に設けた前記湯注ぎ口部３が前記上面部２の傾斜上方部位に位置する状態で、扁平状中空本体１を支承し得る傾斜支承接地部10を設けている。
【００４２】
より具体的には、本体支承部６を構成する凸部の長さ（上面部２から傾斜支承接地部10までの長さ）は何れの箇所でも一定とし、前記扁平状中空本体１の前記上面部２が上面となるように前記扁平状中空本体１を平置き状態にする際、即ち、本体支承部６のうち扁平状中空本体１の下面部11を底部として載置する際に、載置台と接する箇所を傾斜支承接地部10とし、この傾斜支承接地部10に滑り止め加工を施す構成とする。本実施例においては、扁平状中空本体１全体を粗面加工した合成樹脂で設けた。
【００４３】
この構成により、湯を湯注ぎ口部３から扁平状中空本体１内に注ぐと、湯は下方から溜まり、同時に扁平状中空本体１内の空気は上方へ移動することとなり、更に湯を湯注ぎ口部３に達するまで注ぐと、扁平状中空本体１内部の空気は自然に略全てが湯と置換されることとなる。
【００４４】
また、湯を湯注ぎ口部３近くまで注ぐときには、扁平状中空本体１の内部の空気を略排出でき、しかも、注いだ湯が揺動できる空間を残さないので、湯を湯注ぎ口部３に達するまで注いでも、湯が湯注ぎ口部３から外へ跳ね出ることがなく、湯たんぽの回りを濡らしたり、湯が手にかかったりしないこととなる。
【００４５】
本実施例では、更に、前記湯注ぎ口部３を平面視で一体長さを有する前記一端部４の中央に設けるので、この湯注ぎ口部３が上面部２の最頂点位置となり、扁平状中空本体１内の空気がより湯と置換されやすいこととなる。
【００４６】
また、扁平状中空本体１内に空気が残りづらいので、扁平状中空本体１の容量と略等しい湯が入ることとなり、扁平状中空本体１の内容量と湯温から計算できる理論値に略等しい熱量を蓄積できることとなり、従って、同じ内部容量の従来品と比し、より長い時間温かい状態が保持されることとなる。
【００４７】
また、液体に比して温度変化により体積変化が著しい空気（気体）が扁平状中空本体１に略残らないため、従来から提案される湯たんぽに比し、熱い湯を入れることにより扁平状中空本体１の内圧が上昇したり、朝方湯が冷めることにより扁平状中空本体１の内圧が減少したりすることによる扁平状中空本体１の変化を少なくすることができ、扁平状中空本体１が変形を繰り返すことによる疲労劣化が進みづらいこととなる。
【００４８】
また、本実施例に係る湯たんぽは、安価で加工が容易な合成樹脂を用い、補強リブとしての凹凸面及び本体支承部６を扁平状中空本体１と一体に成形するという極めて簡易な製造方法により本体支承部６を設けるので、上述する多くの秀れた効果を有する構成を極めて安価に実現できることとなる。
【００４９】
また、上面部２及び下面部11に設けた凹凸面により、扁平状中空本体１の表面積が広がることとなり、高い発熱効果を有する湯たんぽとなる。
【００５０】
また、前述のように、扁平状中空本体１が変形しづらい構成を実現することにより劣化しづらくすると共に熱を発散させやすい構成としたので、合成樹脂素材の金属に比し変形し易く熱を伝えづらいという欠点を克服でき、安価で加工が容易な合成樹脂素材を用いても快適な使い心地を提供できることとなる。
【００５１】
以上のように、本実施例は、扁平状中空本体１が内部圧力の変化によっても変形しづらい形状でありながら、湯を注ぐ際に湯が飛び散って作業台を濡らしたり湯が掛かったりすることがなく、湯を捨てる際には、湯注ぎ口部３を開放して縦置きにすることにより自動に湯を排出することができ、しかも、安定して縦置き状態を保つことができ、収納時においても場所を取らずに収納できる、極めて使用勝手の良い実用的な湯たんぽとなる。
【００５２】
尚、本考案は、本実施例に限られるものではなく、各構成要件の具体的構成は適宜設計し得るものである。
【図面の簡単な説明】
【００５３】
【図１】本実施例を示す斜視図である。
【図２】図１のＡ−Ａ断面図である。
【図３】本実施例の使用状態における説明断面図である。
【図４】図１のＢ−Ｂ断面図である。
【図５】本実施例の一使用態様を示す説明斜視図である。
【図６】本実施例の一使用態様を示す説明斜視図である。
【符号の説明】
【００５４】
１  扁平状中空本体
２  上面部
３  湯注ぎ口部
４  一端部
５  他端部
６  本体支承部
７  取手部
８  端面部
９  凸部
10  傾斜支承接地部
11  下面部
【図１】
0003147043.tif 000003
【図２】
0003147043.tif 000004
【図３】
0003147043.tif 000005
【図４】
0003147043.tif 000006
【図５】
0003147043.tif 000007
【図６】
0003147043.tif 000008